(57)【要約】  ネットワークを自動的に切り換えるための方法およびデバイス、ワイヤレスアクセスデバイス、ならびに中間デバイスが開示される。ワイヤレスアクセスデバイスと中間デバイスとの間の接続が確立後、ワイヤレスアクセスデバイスは中間デバイスから指示メッセージを受信する。指示メッセージは、ワイヤレスアクセスデバイスは現在接続されているワイヤレスネットワークから有線ネットワークに切り換える指示を、ワイヤレスアクセスデバイスに示す。ワイヤレスアクセスデバイスが、指示メッセージに従って、中間デバイスを通じて有線ネットワークに接続され、ワイヤレスネットワークから切断される。ワイヤレスアクセスデバイスが有線ネットワークから切断されたとき、ワイヤレスアクセスデバイスが有線ネットワークからワイヤレスネットワークに切り換えられる。本発明は、ワイヤレスネットワークと有線ネットワークの自動的な切換に適用可能である。
2013536624.tif 000002
【特許請求の範囲】
【請求項１】
ネットワークを自動的に切り換えるための方法であって、
ワイヤレスアクセスデバイスと中間デバイスとの間の接続が確立された後に、前記中間デバイスによって送信された命令メッセージを、前記ワイヤレスアクセスデバイスによって受信するステップであって、前記命令メッセージは、前記ワイヤレスアクセスデバイスに、現在接続されているワイヤレスネットワークから有線ネットワークに切り換えるように命令する、ステップと、
前記命令メッセージに従って、前記ワイヤレスアクセスデバイスによって、前記中間デバイスを通じて前記有線ネットワークに接続し、前記ワイヤレスネットワークとの接続を切断するステップと、
前記ワイヤレスアクセスデバイスと前記有線ネットワークとの間の接続が切断されたとき、前記ワイヤレスアクセスデバイスによって、前記有線ネットワークから前記ワイヤレスネットワークに切り換えるステップと、
を含むことを特徴とする方法。
【請求項２】
前記中間デバイスを通じて前記有線ネットワークと接続する前記ステップが、
前記ワイヤレスアクセスデバイスおよび前記中間デバイスによって、対応する仮想ポートを取得し、前記ワイヤレスアクセスデバイスによって、前記仮想ポートをIP層へのワイドエリアネットワーク(WAN)側のインターフェースとしてマウントするステップと、
前記ワイヤレスアクセスデバイスによって、現在のルート構成、ファイアーウォール、ドメイン名サーバ(DNS)、およびネットワークアドレス変換(NAT)の出力インターフェースを、前記仮想ポートとして設定するステップと、
前記ワイヤレスアクセスデバイスによって、ホームゲートウェイからプライベートネットワークIPアドレスを取得するステップと、
前記ワイヤレスアクセスデバイスによって、前記プライベートネットワークIPアドレスに従って、前記中間デバイスおよび前記ホームゲートウェイを通じて、前記ホームゲートウェイに接続される前記有線ネットワークにアクセスするステップと、
を含むことを特徴とする請求項1に記載の方法。
【請求項３】
前記中間デバイスを通じて前記有線ネットワークに接続する前記ステップが、
前記ワイヤレスアクセスデバイスおよび前記中間デバイスによって、対応する仮想ポートを取得し、前記ワイヤレスアクセスデバイスによって、前記仮想ポートをIP層へのWAN側のインターフェースとしてマウントするステップと、
前記ワイヤレスアクセスデバイスによって、現在のルート構成、ファイアーウォール、DNS、およびNATの出力インターフェースを、前記仮想ポートとして設定するステップと、
前記ワイヤレスアクセスデバイスによって、前記中間デバイスからプライベートネットワークIPアドレスを取得するステップと、
前記中間デバイスと前記有線ネットワークとの間のポイントツーポイントプロトコルオーバーイーサネット（登録商標）(PPPOE)ダイヤリング接続が確立された後で、前記ワイヤレスアクセスデバイスによって、前記プライベートネットワークIPアドレスに従って、前記中間デバイスを通じて前記有線ネットワークにアクセスするステップと、
を含むことを特徴とする請求項1に記載の方法。
【請求項４】
前記ワイヤレスアクセスデバイスが前記有線ネットワークから前記ワイヤレスネットワークに切り換えるステップが、
前記ワイヤレスアクセスデバイスによって、前記仮想ポートをWAN側からローカルエリアネットワーク(LAN)側に切り換え、ネットワークブリッジのもとで前記仮想ポートをマウントし、ワイヤレスインターフェースを前記WAN側インターフェースとして開始するステップと、
前記ワイヤレスアクセスデバイスによって、前記現在のルート構成、前記ファイアーウォール、前記DNS、および前記NATの前記出力インターフェースを、ワイヤレスポートとして設定するステップと、
前記ホームゲートウェイに前記プライベートネットワークIPアドレスを解放させるために、前記ワイヤレスアクセスデバイスによって、前記プライベートネットワークIPアドレスの解放の要求を前記ホームゲートウェイに送信するステップと、
前記ワイヤレスアクセスデバイスによって、前記ワイヤレスネットワークとの接続を確立するステップと、
を含むことを特徴とする請求項2に記載の方法。
【請求項５】
前記ワイヤレスアクセスデバイスが前記有線ネットワークから前記ワイヤレスネットワークに切り換えるステップが、
前記ワイヤレスアクセスデバイスによって、前記仮想ポートをWAN側からLAN側に切り換え、ネットワークブリッジのもとで前記仮想ポートをマウントし、ワイヤレスインターフェースを前記WAN側のインターフェースとして開始するステップと、
前記ワイヤレスアクセスデバイスによって、前記現在のルート構成、前記ファイアーウォール、前記DNS、および前記NATの前記出力インターフェースを、ワイヤレスポートとして設定するステップと、
前記中間デバイスに前記プライベートネットワークIPアドレスを解放させるために、前記ワイヤレスアクセスデバイスによって、前記プライベートネットワークIPアドレスの解放の要求を前記中間デバイスに送信するステップと、
前記中間デバイスと前記有線ネットワークとの間のPPPOEダイヤリング接続が切断された後で、前記ワイヤレスアクセスデバイスによって、前記ワイヤレスネットワークとの接続を確立するステップと、
を含むことを特徴とする請求項3に記載の方法。
【請求項６】
ワイヤレスアクセスデバイスと中間デバイスとの間の接続が確立された後に、前記中間デバイスによって送信された命令メッセージを受信するように構成された受信モジュールであって、前記命令メッセージは、前記ワイヤレスアクセスデバイスに、現在接続されているワイヤレスネットワークから有線ネットワークに切り換えるように命令する、受信モジュールと、
前記命令メッセージに従って、前記中間デバイスを通じて前記有線ネットワークに接続し、前記ワイヤレスネットワークとの接続を切断するように構成される、第1の切換モジュールと、
ワイヤレスアクセスデバイスと前記有線ネットワークとの間の前記接続が遮断されたとき、前記有線ネットワークから前記ワイヤレスネットワークに切り換えるように構成される、第2の切換モジュールと、
を含むことを特徴とするワイヤレスアクセスデバイス。
【請求項７】
前記中間デバイスに対応する仮想ポートを有し、
前記第1の切換モジュールが、特に、前記仮想ポートをIP層へのワイドエリアネットワーク(WAN)側のインターフェースとしてマウントし、現在のルート構成、ファイアーウォール、DNS、およびNATの出力インターフェースを、前記仮想ポートとして設定し、ホームゲートウェイからプライベートネットワークIPアドレスを取得し、前記プライベートネットワークIPアドレスに従って、前記中間デバイスおよび前記ホームゲートウェイを通じて、前記ホームゲートウェイに接続される有線ネットワークにアクセスするように構成されることを特徴とする請求項6に記載のワイヤレスアクセスデバイス。
【請求項８】
前記中間デバイスに対応する仮想ポートを有し、
前記第1の切換モジュールが、特に、前記仮想ポートをIP層へのWAN側のインターフェースとしてマウントし、現在のルート構成、ファイアーウォール、DNS、およびNATの出力インターフェースを前記仮想ポートとして設定し、前記中間デバイスからプライベートネットワークIPアドレスを取得し、前記中間デバイスと前記有線ネットワークとの間のPPPOEダイヤリング接続が確立された後、前記プライベートネットワークIPアドレスに従って、前記中間デバイスを通じて前記有線ネットワークにアクセスするように構成されることを特徴とする請求項6に記載のワイヤレスアクセスデバイス。
【請求項９】
前記第2の切換モジュールが、特に、前記仮想ポートをWAN側からLAN側に切り換え、前記仮想ポートをネットワークブリッジのもとでマウントし、ワイヤレスインターフェースを前記WAN側のインターフェースとして開始し、前記現在のルート構成、前記ファイアーウォール、前記DNS、および前記NATの前記出力インターフェースを、前記ワイヤレスインターフェースとして設定し、前記ホームゲートウェイに前記プライベートネットワークIPアドレスを解放させるために、前記プライベートネットワークIPアドレスの解放の要求を前記ホームゲートウェイに送信し、前記ワイヤレスネットワークとの接続を確立するように構成されることを特徴とする請求項7に記載のワイヤレスアクセスデバイス。
【請求項１０】
前記第2の切換モジュールが、特に、前記仮想ポートをWAN側からLAN側に切り換え、前記仮想ポートをネットワークブリッジのもとでマウントし、ワイヤレスインターフェースを前記WAN側のインターフェースとして開始し、前記現在のルート構成、前記ファイアーウォール、前記DNS、および前記NATの前記出力インターフェースを、前記ワイヤレスインターフェースとして設定し、前記中間デバイスに前記プライベートネットワークIPアドレスを解放させるために、前記プライベートネットワークIPアドレスの解放の要求を前記中間デバイスに送信し、前記中間デバイスと前記有線ネットワークとの間の前記PPPOEダイヤリング接続が切断された後で、前記ワイヤレスネットワークとの接続を確立するように構成されることを特徴とする請求項8に記載のワイヤレスアクセスデバイス。
【請求項１１】
中間デバイスが第1のインターフェースモジュールを通じてワイヤレスアクセスデバイスとの接続を確立する、第1のインターフェースモジュールと、
中間デバイスと前記ワイヤレスアクセスデバイスとの間の前記接続が確立された後に、前記第1のインターフェースモジュールを通じて命令メッセージを前記ワイヤレスアクセスデバイスに送信し、前記ワイヤレスアクセスデバイスに、現在接続されているワイヤレスネットワークから有線ネットワークに切り換えるように命令するように構成される、命令メッセージ送信モジュールと、
中間デバイスが第2のインターフェースモジュールを通じてホームゲートウェイとの接続を確立し、前記ホームゲートウェイが前記有線ネットワークに接続される、第2のインターフェースモジュールと、
を含むことを特徴とする中間デバイス。
【請求項１２】
中間デバイスが第1のインターフェースモジュールを通じてワイヤレスアクセスデバイスとの接続を確立する、第1のインターフェースモジュールと、
中間デバイスと前記ワイヤレスアクセスデバイスとの間の前記接続が確立された後に、前記第1のインターフェースモジュールを通じて命令メッセージを前記ワイヤレスアクセスデバイスに送信し、前記ワイヤレスアクセスデバイスに、現在接続されているワイヤレスネットワークから有線ネットワークに切り換えるように命令するように構成される、命令メッセージ送信モジュールと、
中間デバイスが第3のインターフェースモジュールを通じて前記有線ネットワークとの接続を確立する、第3のインターフェースモジュールと、
を含むことを特徴とする中間デバイス。
【請求項１３】
請求項6から10に記載のワイヤレスアクセスデバイスと、請求項11に記載の中間デバイスとを含み、または、
請求項6から10に記載のワイヤレスアクセスデバイスと、請求項12に記載の中間デバイスとを含むことを特徴とするネットワークを自動的に切り換えるための装置。
【発明の詳細な説明】
【技術分野】
【０００１】
本発明は、通信技術の分野に関し、具体的には、ネットワークを自動的に切り換えるための方法および装置、ワイヤレスアクセスデバイス、ならびに中間デバイスに関する。
【０００２】
本出願は、全体が参照によって本明細書に組み込まれる、2010年12月27日に中国特許庁に出願された、「METHOD AND APPARATUS FOR AUTOMATIC SWITCHING BETWEEN NETWORKS, WIRELESS ACCESS DEVICE, AND INTERMEDIATE DEVICE」という表題の中国特許出願第201010593853.2号の優先権を主張する。
【背景技術】
【０００３】
3G(3rd-generation、第3世代モバイル通信技術)ネットワークの普及に伴い、ワイヤレスネットワークを通じたデータのアップロードおよびダウンロードの速度はますます高速になっており、ワイヤレスネットワークのベアラは限られているので、WLAN(Wireless Local Area Networks、ワイヤレスローカルエリアネットワーク)技術がセルホットスポットとして広く採用されている。一方では、ユーザの料金を低減することができ、他方では、ネットワーク負荷を大きく低減することができるので、効率的なネットワークサービスがユーザに提供される。
【０００４】
現在、ユーザは、ワイヤレスネットワークまたは有線ネットワークを通じてネットワークにアクセスすることができる。ユーザがワイヤレスネットワークを通じて3Gネットワークにアクセスする場合、WAN(Wide Area Network、ワイドエリアネットワーク)ポートのダイヤリング機能がベースバンドチップのワイヤレスプロトコルスタックに直接実装され、あるアカウントによって申請される帯域幅を複数の人物が同時に共有できるようにするために、WLANユーザは、ネットワークブリッジを通じてIP層へLAN(Local Area Networks、ローカルエリアネットワーク)インターフェースとしてマウントされる。この解決策は、限られた数のユーザしか3Gネットワークのセルにアクセスできないという欠点をある程度軽減するが、モバイルネットワークによって制限されているので、モバイルデバイスは、帯域幅が不安定で、料金が比較的高く、かつ待受時間が制限されるという欠点を有する。
【０００５】
ユーザが有線ネットワークを通じてネットワークにアクセスする場合、ネットワークブリッジがLANインターフェースを通じてIP層にマウントされ、IP層と相互接続されるWANインターフェースの他端が有線ネットワークに接続されるので、LANユーザが有線ネットワークを通じてネットワークにアクセスできるようになる。この解決策は、ある場所においてユーザがネットワークに固定的にアクセスできるようにすることができるだけであり、ユーザはモバイルネットワークアクセスの便利さを体験できない。
【発明の概要】
【発明が解決しようとする課題】
【０００６】
本発明の実施の過程において、発明者らは、従来技術には少なくとも以下の問題があることを見出した。
【０００７】
従来技術では、同じユーザは、有線ネットワークとワイヤレスネットワークのいずれかを通じてネットワークにアクセスすることしか選択できないので、ユーザが、ワイヤレスネットワークによってもたらされる利便性だけではなく、有線ネットワークの安定した帯域幅をも享受することは難しい。
【課題を解決するための手段】
【０００８】
本発明の実施形態は、ネットワークを自動的に切り換えるための方法および装置、ワイヤレスアクセスデバイス、ならびに中間デバイスを提供し、ワイヤレスネットワークと有線ネットワークの自動的な切り換えを実行することができ、ユーザが、ワイヤレスネットワークによって実現する利便性だけではなく、有線ネットワークの安定した帯域幅をも享受することが可能になり得る。
【０００９】
本発明の実施形態で採用される技術的な解決法は、以下の通りである。
【００１０】
ネットワークを自動的に切り換えるための方法であって、
ワイヤレスアクセスデバイスと中間デバイスとの間の接続が確立された後に、中間デバイスによって送信された命令メッセージを、ワイヤレスアクセスデバイスによって受信するステップであって、命令メッセージが、ワイヤレスアクセスデバイスに、現在の接続されているワイヤレスネットワークから有線ネットワークに切り換えるように命令する、ステップと、
命令メッセージに従って、ワイヤレスアクセスデバイスによって、中間デバイスを通じて有線ネットワークに接続し、ワイヤレスネットワークとの接続を切断するステップと、
ワイヤレスアクセスデバイスと有線ネットワークとの間の接続が切断されたとき、ワイヤレスアクセスデバイスによって、有線ネットワークからワイヤレスネットワークに切り換えるステップとを含む。
【００１１】
ワイヤレスアクセスデバイスと中間デバイスとの間の接続が確立された後に、中間デバイスによって送信された命令メッセージを受信するように構成された受信モジュールであって、命令メッセージが、ワイヤレスアクセスデバイスに、現在の接続されているワイヤレスネットワークから有線ネットワークに切り換えるように命令する、受信モジュールと、
命令メッセージに従って、中間デバイスを通じて有線ネットワークに接続し、ワイヤレスネットワークとの接続を切断するように構成される、第1の切換モジュールと、
ワイヤレスアクセスデバイスと有線ネットワークとの間の接続が妨害されたとき、有線ネットワークからワイヤレスネットワークに切り換えるように構成される、第2の切換モジュールとを含むワイヤレスアクセスデバイス。
【００１２】
中間デバイスが第1のインターフェースモジュールを通じてワイヤレスアクセスデバイスとの接続を確立する、第1のインターフェースモジュールと、
中間デバイスとワイヤレスアクセスデバイスとの間の接続が確立された後に、第1のインターフェースモジュールを通じて命令メッセージをワイヤレスアクセスデバイスに送信し、ワイヤレスアクセスデバイスに、現在接続されているワイヤレスネットワークから有線ネットワークに切り換えるように命令するように構成される、命令メッセージ送信モジュールと、
中間デバイスが第2のインターフェースモジュールを通じてホームゲートウェイとの接続を確立し、ホームゲートウェイが有線ネットワークに接続される、第2のインターフェースモジュールとを含む中間デバイス。
【００１３】
中間デバイスが第1のインターフェースモジュールを通じてワイヤレスアクセスデバイスとの接続を確立する、第1のインターフェースモジュールと、
中間デバイスとワイヤレスアクセスデバイスとの間の接続が確立された後に、第1のインターフェースモジュールを通じて命令メッセージをワイヤレスアクセスデバイスに送信し、ワイヤレスアクセスデバイスに、現在接続されているワイヤレスネットワークから有線ネットワークに切り換えるように命令するように構成される、命令メッセージ送信モジュールと、
中間デバイスが第3のインターフェースモジュールを通じて有線ネットワークとの接続を確立する、第3のインターフェースモジュールとを含む中間デバイス。
【００１４】
前述のワイヤレスアクセスデバイスと、前述の中間デバイスのうちの任意の1つとを含む、ネットワークを自動的に切り換えるための装置。
【００１５】
本発明の実施形態で提供される、ネットワークを自動的に切り換えるための方法および装置、ワイヤレスアクセスデバイス、ならびに中間デバイスでは、ワイヤレスアクセスデバイスと中間デバイスとの間の接続が確立された後、中間デバイスの命令に従って、ワイヤレスアクセスデバイスを、中間デバイスを通じて有線ネットワークに接続することができ、ワイヤレスネットワークとの接続が切断される。ワイヤレスアクセスデバイスと有線ネットワークとの間の接続が切断された場合、ワイヤレスアクセスデバイスは有線ネットワークからワイヤレスネットワークに切り換える。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。
【００１６】
本発明の実施形態の技術的な解決法をより明確に示すために、実施形態を説明するために必要な添付の図面が、以下で簡単に紹介される。明らかに、以下の説明における添付の図面は、本発明のいくつかの実施形態に過ぎず、当業者は、創造的な作業を伴うことなく、これらの添付の図面に従って他の図面をさらに導き出すことができる。
【図面の簡単な説明】
【００１７】
【図１】本発明の実施形態1による方法の流れ図である。
【図２】本発明の実施形態2による方法の流れ図である。
【図３】本発明の実施形態3による方法の流れ図である。
【図４】本発明の実施形態4によるワイヤレスアクセスデバイスの概略的な構造図である。
【図５】本発明の実施形態4によるワイヤレスアクセスデバイスの概略的な構造図である。
【図６】本発明の実施形態4によるワイヤレスアクセスデバイスの概略的な構造図である。
【図７】本発明の実施形態5による中間デバイスの概略的な構造図である。
【図８】本発明の実施形態5による中間デバイスの概略的な構造図である。
【発明を実施するための形態】
【００１８】
本発明の実施形態の技術的な解決法は、本発明の実施形態における添付の図面を参照して、以下で明確かつ完全に説明される。明らかに、説明される実施形態は本発明の実施形態のすべてではなく一部に過ぎない。本発明の実施形態に基づいて、創造的な作業を伴わずに当業者によって得られるすべての他の実施形態は、本発明の保護範囲に入るものである。
【００１９】
本発明の技術的な解決法の利点をより明確にするために、本発明は、添付の図面および実施形態を参照して、以下で詳細に説明される。
【００２０】
［実施形態1］
実施形態は、図1に示されるような、ネットワークを自動的に切り換えるための方法を提供し、この方法は以下のステップを含む。
【００２１】
101:ワイヤレスアクセスデバイスと中間デバイスとの接続が確立された後、ワイヤレスアクセスデバイスが、中間デバイスによって送信された命令メッセージを受信し、命令メッセージが、ワイヤレスアクセスデバイスに、現在接続されているワイヤレスネットワークから有線ネットワークに切り換えるように命令する。
【００２２】
102:ワイヤレスアクセスデバイスが、命令メッセージに従って、中間デバイスを通じて有線ネットワークに接続し、ワイヤレスネットワークとの接続を切断する。
【００２３】
任意選択で、中間デバイスはネットワークブリッジデバイスであってもよく、ホームゲートウェイがさらに、ワイヤレスアクセスデバイスと有線ネットワークとの間に設置され、ワイヤレスアクセスデバイスが、中間デバイスおよびホームゲートウェイを通じて、有線ネットワークに接続される。
【００２４】
任意選択で、中間デバイスは、ホームゲートウェイの機能が組み込まれたデバイスであってもよく、特に、USB複合デバイスを有するホームゲートウェイであってもよく、USBインターフェースを通じてワイヤレスアクセスデバイスと通信することができる。
【００２５】
103:ワイヤレスアクセスと有線ネットワークとの間の接続が切断されると、ワイヤレスアクセスデバイスは、有線ネットワークからワイヤレスネットワークに切り換える。
【００２６】
本発明の実施形態で提供される、ネットワークを自動的に切り換えるための方法では、ワイヤレスアクセスデバイスと中間デバイスとの間の接続が確立された後に、ワイヤレスアクセスデバイスを、中間デバイスの命令に従って、中間デバイスを通じて有線ネットワークに接続することができ、ワイヤレスネットワークとの接続は切断される。ワイヤレスアクセスデバイスと有線ネットワークとの間の接続が切断されると、ワイヤレスアクセスデバイスは、有線ネットワークからワイヤレスネットワークに切り換える。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。
【００２７】
［実施形態2］
この実施形態は、ネットワークを自動的に切り換えるための方法を提供する。この実施形態では、ワイヤレスアクセスデバイスは現在3Gネットワークに接続されており、ワイヤレスアクセスデバイスと中間デバイスとの接続が確立された後、ワイヤレスアクセスデバイスは、中間デバイスおよびホームゲートウェイを通じて有線ネットワークに接続され、3Gネットワークとの接続が切断される。ワイヤレスアクセスデバイスと有線ネットワークとの間の接続が切断されると、ワイヤレスアクセスデバイスは、有線ネットワークから3Gネットワークに切り換える。
【００２８】
この実施形態では、中間デバイスは、ネットワークブリッジデバイスであってもよい。
【００２９】
図2に示されるように、ネットワークを自動的に切り換えるための方法は、以下のステップを含む。
【００３０】
201:ワイヤレスアクセスデバイスと中間デバイスとの間の接続が確立された後、ワイヤレスアクセスデバイスが、中間デバイスによって送信された命令メッセージを受信し、命令メッセージが、ワイヤレスアクセスデバイスに、現在接続されている3Gネットワークから有線ネットワークに切り換えるように命令し、ワイヤレスアクセスデバイスおよび中間デバイスが、対応するUSB仮想ポートを有する。
【００３１】
ワイヤレスアクセスデバイスは、DHCP(Dynamic Host Configuration Protocol、ダイナミックホストコンフィギュレーションプロトコル)サーバを有し、自己定義されたDHCPサーバIPアドレスプールのプライベートネットワークIPアドレスを、ワイヤレスアクセスデバイスにアクセスするユーザ装置に割り当てることができる。
【００３２】
202:ワイヤレスアクセスデバイスは、命令メッセージに従って、3GインターフェースからのWANポートのダイヤリングを切断し、同時にLAN側のUSB仮想ポートをネットワークブリッジから除去し、USB仮想ポートをIP層へのWAN側のインターフェースとしてマウントし、ワイヤレスアクセスデバイスにアクセスするユーザ装置を、ワイヤレスアクセスデバイスのLAN側のデバイスとして見なし、中間デバイスを、ワイヤレスアクセスデバイスのWAN側のデバイスとして見なす。
【００３３】
203:ワイヤレスアクセスデバイスが、現在のルート構成、ファイアーウォール、DNS(Domain Name System、ドメインネームシステム)、およびNAT(Network Address Translation、ネットワークアドレス変換)の出力インターフェースを、USB仮想ポートとして設定し、ルーティングテーブルのデフォルトゲートウェイアドレスを、中間デバイス側のIPアドレスとして設定し、NATのパブリックネットワークアドレスを、中間デバイス側のゲートウェイアドレスとして設定する。
【００３４】
204:ワイヤレスアクセスデバイスが、ホームゲートウェイからプライベートネットワークIPアドレスを取得する。
【００３５】
205:ワイヤレスアクセスデバイスが、プライベートネットワークIPアドレスに従って、中間デバイスおよびホームゲートウェイを通じて、ホームゲートウェイに接続される有線ネットワークにアクセスする。
【００３６】
ホームゲートウェイは、ADSL(Asymmetric Digital Subscriber Line、非対称デジタル加入者線)、ルータなどであってもよいが、これに限定されない。
【００３７】
206:ワイヤレスアクセスデバイスが、3Gネットワークとの接続を切断する。
【００３８】
上記のことから、ワイヤレスアクセスデバイスが有線ネットワークモードに入ることが理解され得る。
【００３９】
207:ワイヤレスアクセスデバイスが、ワイヤレスアクセスデバイスと有線ネットワークとの間の接続が切断されたことを検出する。
【００４０】
USB仮想ポートが利用可能ではないこと、または、中間デバイスがホームゲートウェイに接続できないことをワイヤレスアクセスデバイスが検出したとき、これは、ワイヤレスアクセスデバイスと有線ネットワークとの間の接続が切断されたことを示す。
【００４１】
208:ワイヤレスアクセスデバイスが、USB仮想ポートを、WAN側からLAN側に切り換え、USB仮想ポートをネットワークブリッジのもとでマウントし、ワイヤレスアクセスデバイスにアクセスするユーザ装置をワイヤレスアクセスデバイスのLAN側のデバイスとして見なし、3GインターフェースをWAN側のインターフェースとして開始する。
【００４２】
209:ワイヤレスアクセスデバイスが、現在のルート構成、ファイアーウォール、DNS、およびNATの出力インターフェースを、3Gインターフェースとして設定し、ルーティングテーブルのデフォルトゲートウェイアドレスを、3Gネットワーク側から取得されたIPアドレスとして設定し、NATのパブリックネットワークアドレスを、3Gネットワーク側のアドレスとして設定する。
【００４３】
210:ワイヤレスアクセスデバイスが、ホームゲートウェイにプライベートネットワークIPアドレスを解放させるために、プライベートネットワークIPアドレスの解放の要求をホームゲートウェイに送信する。
【００４４】
211:ワイヤレスアクセスデバイスが、3Gネットワークとの接続を確立する。
【００４５】
上記のことから、ワイヤレスアクセスデバイスがワイヤレスネットワーク接続モードに入ることが理解され得る。
【００４６】
本発明の実施形態で提供される、ネットワークを自動的に切り換えるための方法では、ワイヤレスアクセスデバイスと中間デバイスとの間の接続が確立された後、ワイヤレスアクセスデバイスを、中間デバイスの命令に従って、中間デバイスおよびホームゲートウェイを通じて、有線ネットワークに接続することができ、ワイヤレスネットワークとの接続は切断される。ワイヤレスアクセスデバイスと有線ネットワークとの間の接続が切断されると、ワイヤレスアクセスデバイスは、有線ネットワークからワイヤレスネットワークに切り換える。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。加えて、中間デバイスは、ワイヤレスアクセスデバイスを充電でき、ワイヤレスアクセスデバイスの待受能力を向上させることができる。
【００４７】
［実施形態3］
この実施形態は、ネットワークを自動的に切り換えるための方法を提供する。この実施形態では、ワイヤレスアクセスデバイスは現在3Gネットワークに接続されており、ワイヤレスアクセスデバイスと中間デバイスとの間の接続が確立された後、ワイヤレスアクセスデバイスは、中間デバイスを通じて有線ネットワークに接続され、3Gネットワークとの接続は切断される。ワイヤレスアクセスデバイスと有線ネットワークとの間の接続が切断されると、ワイヤレスアクセスデバイスは有線ネットワークから3Gネットワークに切り換える。
【００４８】
実施形態2と異なるのは、この実施形態では、中間デバイスが、ホームゲートウェイの機能を組み込んでおり、特に、USB複合デバイスを有するホームゲートウェイであってもよく、USBインターフェースを通じてワイヤレスアクセスデバイスと通信できること、または、中間デバイスが、ネットワークポートおよびシリアルポートのような複合デバイスを有するホームゲートウェイであってもよく、ネットワークポートまたはシリアルポートを通じた方式でワイヤレスアクセスデバイスと通信できることである。
【００４９】
図3に示されるように、ネットワークを自動的に切り換えるための方法は、以下のステップを含む。
【００５０】
301:ワイヤレスアクセスデバイスと中間デバイスとの間の接続が確立された後、ワイヤレスアクセスデバイスが、中間デバイスによって送信された命令メッセージを受信し、命令メッセージが、ワイヤレスアクセスデバイスに、現在接続されている3Gネットワークから有線ネットワークに切り換えるように命令し、ワイヤレスアクセスデバイスおよび中間デバイスが、対応するUSB仮想ポートを有する。
【００５１】
ワイヤレスアクセスデバイスは、DHCPサーバを有し、自己定義されたDHCPサーバIPアドレスプールのプライベートネットワークIPアドレスを、ワイヤレスアクセスデバイスにアクセスするユーザ装置に割り当てることができる。
【００５２】
302:ワイヤレスアクセスデバイスは、命令メッセージに従って、3GインターフェースからのWANポートのダイヤリングを切断し、同時にLAN側のUSB仮想ポートをネットワークブリッジから除去し、USB仮想ポートをIP層へのWAN側のインターフェースとしてマウントし、ワイヤレスアクセスデバイスにアクセスするユーザ装置を、ワイヤレスアクセスデバイスのLAN側のデバイスとして見なし、中間デバイスを、ワイヤレスアクセスデバイスのWAN側のデバイスとして見なす。
【００５３】
303:ワイヤレスアクセスデバイスが、現在のルート構成、ファイアーウォール、DNS、およびNATの出力インターフェースを、USB仮想ポートとして設定し、ルーティングテーブルのデフォルトゲートウェイアドレスを、中間デバイス側のIPアドレスとして設定し、NATのパブリックネットワークアドレスを、中間デバイス側のゲートウェイアドレスとして設定する。
【００５４】
304:中間デバイスが、PPPOE(Point to Point Protocol over Ethernet（登録商標）、ポイントツーポイントプロトコルオーバーイーサネット（登録商標）)ダイヤリング要求を有線ネットワークに開始し、中間デバイスと有線ネットワークとの間のPPPOEダイヤリング接続を確立する。
【００５５】
305:ワイヤレスアクセスデバイスが、中間デバイスからプライベートネットワークIPアドレスを取得する。
【００５６】
306:ワイヤレスアクセスデバイスが、プライベートネットワークIPアドレスに従って、中間デバイスを通じて有線ネットワークにアクセスする。
【００５７】
ステップ304は、ステップ301より後かつステップ306より前の任意の時点において実行され得る。
【００５８】
307:ワイヤレスアクセスデバイスが、3Gネットワークとの接続を切断する。
【００５９】
上記のことから、ワイヤレスアクセスデバイスが有線ネットワーク接続モードに入ったことが理解され得る。
【００６０】
308:ワイヤレスアクセスデバイスが、ワイヤレスアクセスデバイスと有線ネットワークとの間の接続が切断されたことを検出する。
【００６１】
USB仮想ポートが利用可能ではないこと、または、中間デバイスが正常に動作できないことをワイヤレスアクセスデバイスが検出したとき、これは、ワイヤレスアクセスデバイスと有線ネットワークとの間の接続が切断されたことを示す。
【００６２】
309:ワイヤレスアクセスデバイスが、USB仮想ポートを、WAN側からLAN側に切り換え、USB仮想ポートをネットワークブリッジのもとでマウントし、ワイヤレスアクセスデバイスにアクセスするユーザ装置をワイヤレスアクセスデバイスのLAN側のデバイスとして見なし、3GインターフェースをWAN側のインターフェースとして開始する。
【００６３】
310:ワイヤレスアクセスデバイスが、現在のルート構成、ファイアーウォール、DNS、およびNATの出力インターフェースを、3Gインターフェースとして設定し、ルーティングテーブルのデフォルトゲートウェイアドレスを、3Gネットワーク側から取得されたIPアドレスとして設定し、NATのパブリックネットワークアドレスを、3Gネットワーク側のアドレスとして設定する。
【００６４】
311:ワイヤレスアクセスデバイスが、中間デバイスにプライベートネットワークIPアドレスを解放させるために、プライベートネットワークIPアドレスの解放の要求を中間デバイスに送信する。
【００６５】
312:中間デバイスが、PPPOE切断ダイヤリング要求を有線ネットワークに開始し、中間デバイスと有線ネットワークとの間のPPPOEダイヤリング接続を切断する。
【００６６】
313:ワイヤレスアクセスデバイスが、3Gネットワークとの接続を確立する。
【００６７】
ステップ312は、ステップ308より後かつステップ313より前の任意の時点において実行され得る。
【００６８】
上記のことから、ワイヤレスアクセスデバイスがワイヤレスネットワーク接続モードに入ることが理解され得る。
【００６９】
本発明の実施形態で提供される、ネットワークを自動的に切り換えるための方法では、ワイヤレスアクセスデバイスと中間デバイスとの間の接続が確立された後、ワイヤレスアクセスデバイスを、中間デバイスの命令に従って、中間デバイスを通じて有線ネットワークに接続することができ、ワイヤレスネットワークとの接続は切断される。ワイヤレスアクセスデバイスと有線ネットワークとの間の接続が切断されると、ワイヤレスアクセスデバイスは、有線ネットワークからワイヤレスネットワークに切り換える。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。加えて、中間デバイスは、ワイヤレスアクセスデバイスを充電でき、ワイヤレスアクセスデバイスの待受能力を向上させることができる。
【００７０】
［実施形態4］
この実施形態は、ワイヤレスアクセスデバイスを提供し、図4、図5、および図6に示されるように、ワイヤレスアクセスデバイス40は、
ワイヤレスアクセスデバイス40と中間デバイス41との間の接続が確立された後に、中間デバイス41によって送信された命令メッセージを受信するように構成された受信モジュール401であって、命令メッセージが、ワイヤレスアクセスデバイス40に、現在接続されているワイヤレスネットワークから有線ネットワークに切り換えるように命令する、受信モジュール401と、
命令メッセージに従って、中間デバイス41を通じて有線ネットワークに接続し、ワイヤレスネットワークとの接続を切断するように構成される、第1の切換モジュール402と、
ワイヤレスアクセスデバイス40と有線ネットワークとの間の接続が妨害されたとき、有線ネットワークからワイヤレスネットワークに切り換えるように構成される、第2の切換モジュール403とを含む。
【００７１】
さらに、図5に示されるように、ワイヤレスアクセスデバイス40は、中間デバイス41に対応する仮想ポートを有する。
【００７２】
第1の切換モジュール402は、特に、仮想ポートをIP層へWAN側のインターフェースとしてマウントし、現在のルート構成、ファイアーウォール、DNS、およびNATの出力インターフェースを、仮想ポートとして設定し、ホームゲートウェイ42からプライベートネットワークIPアドレスを取得し、プライベートネットワークIPアドレスに従って、中間デバイス41およびホームゲートウェイ42を通じて、ホームゲートウェイ42に接続される有線ネットワーク43にアクセスするように構成される。
【００７３】
第2の切換モジュール403は、特に、仮想ポートをWAN側からLAN側に切り換え、仮想ポートをネットワークブリッジのもとでマウントし、ワイヤレスインターフェースをWAN側のインターフェースとして開始し、現在のルート構成、ファイアーウォール、DNS、およびNATの出力インターフェースを、ワイヤレスインターフェースとして設定し、ホームゲートウェイ42にプライベートネットワークIPアドレスを解放させるために、プライベートネットワークIPアドレスの解放の要求をホームゲートウェイ42に送信し、ワイヤレスネットワークとの接続を確立するように構成される。
【００７４】
さらに、図6に示されるように、ワイヤレスアクセスデバイス40は、中間デバイス41に対応する仮想ポートを有する。
【００７５】
第1の切換モジュール402は、特に、仮想ポートをIP層へWAN側のインターフェースとしてマウントし、現在のルート構成、ファイアーウォール、DNS、およびNATの出力インターフェースを仮想ポートとして設定し、中間デバイス41からプライベートネットワークIPアドレスを取得し、中間デバイス41と有線ネットワーク43との間のPPPOEダイヤリング接続が確立された後、プライベートネットワークIPアドレスに従って、中間デバイス41を通じて有線ネットワーク43にアクセスするように構成される。
【００７６】
第2の切換モジュール403は、特に、仮想ポートをWAN側からLAN側に切り換え、仮想ポートをネットワークブリッジのもとでマウントし、ワイヤレスインターフェースをWAN側のインターフェースとして開始し、現在のルート構成、ファイアーウォール、DNS、およびNATの出力インターフェースを、ワイヤレスインターフェースとして設定し、中間デバイス41にプライベートネットワークIPアドレスを解放させるために、プライベートネットワークIPアドレスの解放の要求を中間デバイス41に送信し、中間デバイス41と有線ネットワーク43との間のPPPOEダイヤリング接続が切断された後で、ワイヤレスネットワークとの接続を確立するように構成される。
【００７７】
図5に示されるワイヤレスアクセスデバイスは、実施形態2で説明される方法に適用可能であり、図6に示されるワイヤレスアクセスデバイスは、実施形態3で説明される方法に適用可能であることに、留意されたい。
【００７８】
本発明の実施形態で提供されるワイヤレスアクセスデバイスでは、ワイヤレスアクセスデバイスと中間デバイスとの間の接続が確立された後、ワイヤレスアクセスデバイスを、中間デバイスの命令に従って有線ネットワークに接続することができ、ワイヤレスネットワークとの接続は切断される。ワイヤレスアクセスデバイスと有線ネットワークとの間の接続が切断されると、ワイヤレスアクセスデバイスは、有線ネットワークからワイヤレスネットワークに切り換える。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。加えて、中間デバイスは、ワイヤレスアクセスデバイスを充電でき、ワイヤレスアクセスデバイスの待受能力を向上させることができる。
【００７９】
［実施形態5］
この実施形態は中間デバイスを提供し、図7に示されるように、中間デバイス70は、
中間デバイス70が第1のインターフェースモジュール701を通じてワイヤレスアクセスデバイス71との接続を確立する、第1のインターフェースモジュール701と、
中間デバイス70とワイヤレスアクセスデバイス71との間の接続が確立された後に、第1のインターフェースモジュール701を通じて命令メッセージをワイヤレスアクセスデバイス71に送信し、ワイヤレスアクセスデバイス71に、現在接続されているワイヤレスネットワークから有線ネットワーク73に切り換えるように命令するように構成される、命令メッセージ送信モジュール702と、
中間デバイス70が第2のインターフェースモジュール703を通じてホームゲートウェイ72との接続を確立し、ホームゲートウェイ72が有線ネットワーク73に接続される、第2のインターフェースモジュール703とを含む。
【００８０】
この実施形態の中間デバイスは、実施形態2で説明される方法に適用可能であることに留意されたい。
【００８１】
本発明の実施形態で提供される中間デバイスでは、ワイヤレスアクセスデバイスと中間デバイスとの間の接続が確立された後、中間デバイスが、ワイヤレスアクセスデバイスに、現在接続されているワイヤレスネットワークから有線ネットワークに切り換えるように命令することができ、中間デバイスおよびホームゲートウェイを通じて、ワイヤレスアクセスデバイスは有線ネットワークにアクセスすることができる。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。加えて、中間デバイスは、ワイヤレスアクセスデバイスを充電でき、ワイヤレスアクセスデバイスの待受能力を向上させることができる。
【００８２】
［実施形態6］
この実施形態は中間デバイスを提供し、図8に示されるように、中間デバイス80は、
中間デバイス80が第1のインターフェースモジュール801を通じてワイヤレスアクセスデバイス81との接続を確立する、第1のインターフェースモジュール801と、
中間デバイス80とワイヤレスアクセスデバイス81との間の接続が確立された後に、第1のインターフェースモジュール801を通じて命令メッセージをワイヤレスアクセスデバイス81に送信し、ワイヤレスアクセスデバイス81に、現在接続されているワイヤレスネットワークから有線ネットワーク82に切り換えるように命令するように構成される、命令メッセージ送信モジュール802と、
中間デバイス80が第3のインターフェースモジュール803を通じて有線ネットワーク82との接続を確立する、第3のインターフェースモジュール803とを含む。
【００８３】
この実施形態の中間デバイスは、実施形態3で説明される方法に適用可能であることに留意されたい。
【００８４】
本発明の実施形態で提供される中間デバイスでは、ワイヤレスアクセスデバイスと中間デバイスとの間の接続が確立された後、中間デバイスが、ワイヤレスアクセスデバイスに、現在接続されているワイヤレスネットワークから有線ネットワークに切り換えるように命令することができ、中間デバイスを通じて、ワイヤレスアクセスデバイスは有線ネットワークにアクセスすることができる。従来技術と比較して、ワイヤレスアクセスデバイスは、ワイヤレスネットワークと有線ネットワークを自動的に切り換えることができ、ユーザは、ワイヤレスネットワークの利点だけではなく、有線ネットワークの利点も享受することができ、さらに、ユーザ体験の質を向上させることができる。加えて、中間デバイスは、ワイヤレスアクセスデバイスを充電でき、ワイヤレスアクセスデバイスの待受能力を向上させることができる。
【００８５】
［実施形態7］
本発明の実施形態はさらに、ネットワークを自動的に切り換えるための装置を提供し、その装置は、図5に示されるワイヤレスアクセスデバイスと、図7に示される中間デバイスとを含む。ワイヤレスアクセスデバイスおよび中間デバイスの構造については、前述の実施形態を参照することができ、ここでは再び繰り返し説明はされない。
【００８６】
あるいは、装置は、図6に示されるワイヤレスアクセスデバイスと、図8に示される中間デバイスとを含み、ワイヤレスアクセスデバイスおよび中間デバイスの構造については、前述の実施形態を参照することができ、ここでは再び繰り返し説明はされない。
【００８７】
本発明の実施形態で提供される、ネットワークを自動的に切り換えるための装置、ワイヤレスアクセスデバイス、および中間デバイスは、上で提供される方法の実施形態を実施することができる。具体的な機能の実装については、方法の実施形態における例示を参照することができ、ここでは再び繰り返し説明はされない。本発明の実施形態で提供される、ネットワークを自動的に切り換えるための方法および装置、ワイヤレスアクセスデバイス、ならびに中間デバイスは、ワイヤレスネットワークと有線ネットワークとの自動的な切り換えに適用可能であってもよいが、そのことのみに限定はされない。
【００８８】
前述の実施形態における方法の過程のすべてまたは一部が、関連するハードウェアに命令するコンピュータプログラムによって実施され得ることを、当業者は理解することができる。このプログラムは、コンピュータ可読記憶媒体に記憶され得る。プログラムが実行されると、実施形態による前述の方法の処理が実行される。記憶媒体は、磁気ディスク、コンパクトディスク、読み取り専用メモリ(Read Only Memory、ROM)、ランダムアクセスメモリ(Random Access Memory、RAM)などであってもよい。
【００８９】
前述の説明は、本発明の特定の実施方法に過ぎず、本発明の保護範囲はそれに限定されない。本発明で開示される技術的な範囲にある、当業者が容易に想起し得る任意の変形または置換が、本発明の保護範囲に入るものとする。したがって、本発明の保護範囲は、請求項の保護範囲に従うべきである。
【符号の説明】
【００９０】
40  ワイヤレスアクセスデバイス
41  中間デバイス
42  ホームゲートウェイ
43  有線ネットワーク
401  受信モジュール
402  第1の切換モジュール
403  第2の切換モジュール
70  中間デバイス
71  ワイヤレスアクセスデバイス
72  ホームゲートウェイ
73  有線ネットワーク
701  第1のインターフェースモジュール
702  命令メッセージ送信モジュール
703  第2のインターフェースモジュール
80  中間デバイス
81  ワイヤレスアクセスデバイス
82  ホームゲートウェイ
801  第1のインターフェースモジュール
802  命令メッセージ送信モジュール
803  第3のインターフェースモジュール
【図１】
2013536624.tif 000003
【図２】
2013536624.tif 000004
【図３】
2013536624.tif 000005
【図４】
2013536624.tif 000006
【図５】
2013536624.tif 000007
【図６】
2013536624.tif 000008
【図７】
2013536624.tif 000009
【図８】
2013536624.tif 000010
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
ネットワークを自動的に切り換えるための方法であって、
ワイヤレスアクセスデバイスと中間デバイスとの間の接続が確立された後に、前記中間デバイスによって送信された命令メッセージを、前記ワイヤレスアクセスデバイスによって受信するステップであって、前記命令メッセージは、前記ワイヤレスアクセスデバイスに、現在接続されているワイヤレスネットワークから有線ネットワークに切り換えるように命令する、ステップと、
前記命令メッセージに従って、前記ワイヤレスアクセスデバイスによって、前記中間デバイスを通じて前記有線ネットワークに接続し、前記ワイヤレスネットワークとの接続を切断するステップと、
前記ワイヤレスアクセスデバイスと前記有線ネットワークとの間の接続が切断されたとき、前記ワイヤレスアクセスデバイスによって、前記有線ネットワークから前記ワイヤレスネットワークに切り換えるステップと、
を含むことを特徴とする方法。
【請求項２】
前記中間デバイスを通じて前記有線ネットワークと接続する前記ステップが、
前記ワイヤレスアクセスデバイスおよび前記中間デバイスによって、対応する仮想ポートを取得し、前記ワイヤレスアクセスデバイスによって、前記仮想ポートをIP層へのワイドエリアネットワーク(WAN)側のインターフェースとしてマウントするステップと、
前記ワイヤレスアクセスデバイスによって、現在のルート構成、ファイアーウォール、ドメイン名サーバ(DNS)、およびネットワークアドレス変換(NAT)の出力インターフェースを、前記仮想ポートとして設定するステップと、
前記ワイヤレスアクセスデバイスによって、ホームゲートウェイからプライベートネットワークIPアドレスを取得するステップと、
前記ワイヤレスアクセスデバイスによって、前記プライベートネットワークIPアドレスに従って、前記中間デバイスおよび前記ホームゲートウェイを通じて、前記ホームゲートウェイに接続される前記有線ネットワークにアクセスするステップと、
を含むことを特徴とする請求項1に記載の方法。
【請求項３】
前記中間デバイスを通じて前記有線ネットワークに接続する前記ステップが、
前記ワイヤレスアクセスデバイスおよび前記中間デバイスによって、対応する仮想ポートを取得し、前記ワイヤレスアクセスデバイスによって、前記仮想ポートをIP層へのWAN側のインターフェースとしてマウントするステップと、
前記ワイヤレスアクセスデバイスによって、現在のルート構成、ファイアーウォール、DNS、およびNATの出力インターフェースを、前記仮想ポートとして設定するステップと、
前記ワイヤレスアクセスデバイスによって、前記中間デバイスからプライベートネットワークIPアドレスを取得するステップと、
前記中間デバイスと前記有線ネットワークとの間のポイントツーポイントプロトコルオーバーイーサネット（登録商標）(PPPOE)ダイヤリング接続が確立された後で、前記ワイヤレスアクセスデバイスによって、前記プライベートネットワークIPアドレスに従って、前記中間デバイスを通じて前記有線ネットワークにアクセスするステップと、
を含むことを特徴とする請求項1に記載の方法。
【請求項４】
前記ワイヤレスアクセスデバイスが前記有線ネットワークから前記ワイヤレスネットワークに切り換えるステップが、
前記ワイヤレスアクセスデバイスによって、前記仮想ポートをWAN側からローカルエリアネットワーク(LAN)側に切り換え、ネットワークブリッジのもとで前記仮想ポートをマウントし、ワイヤレスインターフェースを前記WAN側インターフェースとして開始するステップと、
前記ワイヤレスアクセスデバイスによって、前記現在のルート構成、前記ファイアーウォール、前記DNS、および前記NATの前記出力インターフェースを、ワイヤレスポートとして設定するステップと、
前記ホームゲートウェイに前記プライベートネットワークIPアドレスを解放させるために、前記ワイヤレスアクセスデバイスによって、前記プライベートネットワークIPアドレスの解放の要求を前記ホームゲートウェイに送信するステップと、
前記ワイヤレスアクセスデバイスによって、前記ワイヤレスネットワークとの接続を確立するステップと、
を含むことを特徴とする請求項2に記載の方法。
【請求項５】
前記ワイヤレスアクセスデバイスが前記有線ネットワークから前記ワイヤレスネットワークに切り換えるステップが、
前記ワイヤレスアクセスデバイスによって、前記仮想ポートをWAN側からLAN側に切り換え、ネットワークブリッジのもとで前記仮想ポートをマウントし、ワイヤレスインターフェースを前記WAN側のインターフェースとして開始するステップと、
前記ワイヤレスアクセスデバイスによって、前記現在のルート構成、前記ファイアーウォール、前記DNS、および前記NATの前記出力インターフェースを、ワイヤレスポートとして設定するステップと、
前記中間デバイスに前記プライベートネットワークIPアドレスを解放させるために、前記ワイヤレスアクセスデバイスによって、前記プライベートネットワークIPアドレスの解放の要求を前記中間デバイスに送信するステップと、
前記中間デバイスと前記有線ネットワークとの間のPPPOEダイヤリング接続が切断された後で、前記ワイヤレスアクセスデバイスによって、前記ワイヤレスネットワークとの接続を確立するステップと、
を含むことを特徴とする請求項3に記載の方法。
【請求項６】
ワイヤレスアクセスデバイスと中間デバイスとの間の接続が確立された後に、前記中間デバイスによって送信された命令メッセージを受信するように構成された受信モジュールであって、前記命令メッセージは、前記ワイヤレスアクセスデバイスに、現在接続されているワイヤレスネットワークから有線ネットワークに切り換えるように命令する、受信モジュールと、
前記命令メッセージに従って、前記中間デバイスを通じて前記有線ネットワークに接続し、前記ワイヤレスネットワークとの接続を切断するように構成される、第1の切換モジュールと、
ワイヤレスアクセスデバイスと前記有線ネットワークとの間の前記接続が遮断されたとき、前記有線ネットワークから前記ワイヤレスネットワークに切り換えるように構成される、第2の切換モジュールと、
を含むことを特徴とするワイヤレスアクセスデバイス。
【請求項７】
前記中間デバイスに対応する仮想ポートを有し、
前記第1の切換モジュールが、特に、前記仮想ポートをIP層へのワイドエリアネットワーク(WAN)側のインターフェースとしてマウントし、現在のルート構成、ファイアーウォール、DNS、およびNATの出力インターフェースを、前記仮想ポートとして設定し、ホームゲートウェイからプライベートネットワークIPアドレスを取得し、前記プライベートネットワークIPアドレスに従って、前記中間デバイスおよび前記ホームゲートウェイを通じて、前記ホームゲートウェイに接続される有線ネットワークにアクセスするように構成されることを特徴とする請求項6に記載のワイヤレスアクセスデバイス。
【請求項８】
前記中間デバイスに対応する仮想ポートを有し、
前記第1の切換モジュールが、特に、前記仮想ポートをIP層へのWAN側のインターフェースとしてマウントし、現在のルート構成、ファイアーウォール、DNS、およびNATの出力インターフェースを前記仮想ポートとして設定し、前記中間デバイスからプライベートネットワークIPアドレスを取得し、前記中間デバイスと前記有線ネットワークとの間のPPPOEダイヤリング接続が確立された後、前記プライベートネットワークIPアドレスに従って、前記中間デバイスを通じて前記有線ネットワークにアクセスするように構成されることを特徴とする請求項6に記載のワイヤレスアクセスデバイス。
【請求項９】
前記第2の切換モジュールが、特に、前記仮想ポートをWAN側からLAN側に切り換え、前記仮想ポートをネットワークブリッジのもとでマウントし、ワイヤレスインターフェースを前記WAN側のインターフェースとして開始し、前記現在のルート構成、前記ファイアーウォール、前記DNS、および前記NATの前記出力インターフェースを、前記ワイヤレスインターフェースとして設定し、前記ホームゲートウェイに前記プライベートネットワークIPアドレスを解放させるために、前記プライベートネットワークIPアドレスの解放の要求を前記ホームゲートウェイに送信し、前記ワイヤレスネットワークとの接続を確立するように構成されることを特徴とする請求項7に記載のワイヤレスアクセスデバイス。
【請求項１０】
前記第2の切換モジュールが、特に、前記仮想ポートをWAN側からLAN側に切り換え、前記仮想ポートをネットワークブリッジのもとでマウントし、ワイヤレスインターフェースを前記WAN側のインターフェースとして開始し、前記現在のルート構成、前記ファイアーウォール、前記DNS、および前記NATの前記出力インターフェースを、前記ワイヤレスインターフェースとして設定し、前記中間デバイスに前記プライベートネットワークIPアドレスを解放させるために、前記プライベートネットワークIPアドレスの解放の要求を前記中間デバイスに送信し、前記中間デバイスと前記有線ネットワークとの間の前記PPPOEダイヤリング接続が切断された後で、前記ワイヤレスネットワークとの接続を確立するように構成されることを特徴とする請求項8に記載のワイヤレスアクセスデバイス。
【請求項１１】
中間デバイスが第1のインターフェースモジュールを通じてワイヤレスアクセスデバイスとの接続を確立する、第1のインターフェースモジュールと、
中間デバイスと前記ワイヤレスアクセスデバイスとの間の前記接続が確立された後に、前記第1のインターフェースモジュールを通じて命令メッセージを前記ワイヤレスアクセスデバイスに送信し、前記ワイヤレスアクセスデバイスに、現在接続されているワイヤレスネットワークから有線ネットワークに切り換えるように命令するように構成される、命令メッセージ送信モジュールと、
を含むことを特徴とする中間デバイス。
【請求項１２】
第2のインターフェースモジュールをさらに含み、
前記中間デバイスは、前記第2のインターフェースモジュールを通じてホームゲートウェイとの接続を確立し、前記ホームゲートウェイが前記有線ネットワークに接続されることを特徴とする請求項11に記載の中間デバイス。
【請求項１３】
第3のインターフェースモジュールをさらに含み、
中間デバイスが第3のインターフェースモジュールを通じて前記有線ネットワークとの接続を確立することを特徴とする請求項11に記載の中間デバイス。
【手続補正２】
【補正対象書類名】明細書
【補正対象項目名】００３３
【補正方法】変更
【補正の内容】
【００３３】
203:ワイヤレスアクセスデバイスが、現在のルート構成、ファイアーウォール、DNS(domain name server、ドメインネームサーバ)、およびNAT(Network Address Translation、ネットワークアドレス変換)の出力インターフェースを、USB仮想ポートとして設定し、ルーティングテーブルのデフォルトゲートウェイアドレスを、中間デバイス側のIPアドレスとして設定し、NATのパブリックネットワークアドレスを、中間デバイス側のゲートウェイアドレスとして設定する。
【手続補正３】
【補正対象書類名】図面
【補正対象項目名】図４
【補正方法】変更
【補正の内容】
【図４】
2013536624.tif 000011
【国際調査報告】
2013536624.tif 000012
2013536624.tif 000013
2013536624.tif 000014
2013536624.tif 000015
2013536624.tif 000016
2013536624.tif 000017